(57)【要約】【課題】折り機能によって形成される折り位置と集約印刷機能によって形成される画像データとが重なって印刷されるのを低減することが可能な印刷制御装置を提供する。【解決手段】本開示の一態様にかかる印刷制御装置は、１枚の媒体を複数に折る機能である折り機能と、１枚の媒体に複数ページの画像データを印刷する機能である集約印刷機能と、を組み合わせた印刷を行う場合に、その折り機能によって形成される折り位置と、その集約印刷機能によって形成される画像データと、が重なって媒体に印刷されるか否かを判定する（ステップS2,S5）。そして、折り位置と画像データとが重なって媒体に印刷されない場合に、折り機能と集約印刷機能と組み合わせた印刷を行う（ステップS9）。【選択図】図３
2014162053.tif 000002
【特許請求の範囲】
【請求項１】
１枚の媒体を複数に折る機能である折り機能と、１枚の媒体に複数ページの画像データを印刷する機能である集約印刷機能と、を組み合わせた印刷を行う場合に、前記折り機能によって形成される折り位置と、前記集約印刷機能によって形成される画像データと、が重なって前記媒体に印刷されるか否かを判定する判定手段と、
前記折り位置と前記画像データとが重なって前記媒体に印刷されない場合に、前記折り機能と前記集約印刷機能と組み合わせた印刷を行う印刷手段と、
を有することを特徴とする印刷制御装置。
【請求項２】
前記折り機能と前記集約印刷機能との組み合わせを変更する変更手段を有し、
前記印刷手段は、
変更後の前記折り機能によって形成される折り位置と、変更後の前記集約印刷機能によって形成される画像データと、が重なって前記媒体に印刷されない場合に、前記折り機能と前記集約印刷機能とを組み合わせた印刷を行う、ことを特徴とする請求項１記載の印刷制御装置。
【請求項３】
前記折り機能によって形成される折り位置と、前記集約印刷機能によって形成される画像データと、が重なって前記媒体に印刷される場合に、前記折り位置と前記画像データとが重なって印刷される旨を通知する通知手段を有し、
前記印刷手段は、
前記通知手段により前記折り位置と前記画像データとが重なって印刷される旨を通知した後に、前記折り機能と前記集約印刷機能とを組み合わせた印刷の要求を受け付けた場合に、前記折り機能と前記集約印刷機能とを組み合わせた印刷を行う、ことを特徴とする請求項１または請求項２記載の印刷制御装置。
【請求項４】
前記折り位置と前記画像データとが重なって前記媒体に印刷されるか否かを特定する情報を前記折り機能と前記集約印刷機能との組み合わせに対応付けて記憶する記憶手段を有し、
前記判定手段は、
前記折り機能と前記集約印刷機能とを組み合わせた印刷を行う場合に、前記記憶手段を参照し、前記折り機能と前記集約印刷機能との組み合わせに対応付けられた前記情報に基づいて、前記折り機能によって形成される折り位置と前記集約印刷機能によって形成される画像データと、が重なって前記媒体に印刷されるか否かを判定する、ことを特徴とする請求項１から請求項３の何れか１項に記載の印刷制御装置。
【請求項５】
印刷制御装置の制御方法であって、
１枚の媒体を複数に折る機能である折り機能と、１枚の媒体に複数ページの画像データを印刷する機能である集約印刷機能と、を組み合わせた印刷を行う場合に、前記折り機能によって形成される折り位置と、前記集約印刷機能によって形成される画像データと、が重なって前記媒体に印刷されるか否かを判定する判定工程と、
前記折り位置と前記画像データとが重なって前記媒体に印刷されない場合に、前記折り機能と前記集約印刷機能と組み合わせた印刷を行う印刷工程と、
を有することを特徴とする制御方法。
【請求項６】
１枚の媒体を複数に折る機能である折り機能と、１枚の媒体に複数ページの画像データを印刷する機能である集約印刷機能と、を組み合わせた印刷を行う場合に、前記折り機能によって形成される折り位置と、前記集約印刷機能によって形成される画像データと、が重なって前記媒体に印刷されるか否かを判定する判定処理と、
前記折り位置と前記画像データとが重なって前記媒体に印刷されない場合に、前記折り機能と前記集約印刷機能と組み合わせた印刷を行う印刷処理と、をコンピュータに実行させることを特徴とするプログラム。
【発明の詳細な説明】
【技術分野】
【０００１】
本開示は、１枚の媒体を複数に折る機能である折り機能と、１枚の媒体に複数ページの画像データを印刷する機能である集約印刷機能と、を組み合わせた印刷を行う場合の技術に関する。
【背景技術】
【０００２】
印刷装置には、紙折り機能や集約印刷機能などの後処理機能が搭載されている。
【０００３】
紙折り機能は、１枚の用紙を複数に折る機能である。例えば、１枚の用紙を２つに折る２つ折り、１枚の用紙を３つに折る３つ折り、１枚の用紙を４つに折る４つ折り、１枚の用紙をＺに折るＺ折りなどの複数種類の折り方がある。
【０００４】
集約印刷機能は、例えば、１枚の用紙に複数ページの画像データを印刷する機能である。例えば、２ページ分の画像データを１枚の用紙に印刷する２−ｕｐ、４ページ分の画像データを１枚の用紙に印刷する４−ｕｐ、９ページ分の画像データを１枚の用紙に印刷する９−ｕｐなどの複数種類の印刷の仕方がある。
【０００５】
なお、上述した紙折り機能と集約印刷機能とを多様に組み合わせた印刷を行う場合に、紙折り機能と集約印刷機能との組み合わせによっては、紙折り機能により用紙を折った折り位置と集約印刷機能により形成した画像データとが重なってしまう場合がある。
【０００６】
例えば、紙折り機能において１枚の用紙を４つに折る４つ折りを選択し、集約印刷機能において１６ページ分の画像データを１枚の用紙に印刷する１６−ｕｐを選択したとする。この場合は、紙折り機能により１枚の用紙を４つに折った折り位置で区分けして集約印刷機能により形成した１６ページ分の画像データを形成することができる。
【０００７】
しかし、紙折り機能において１枚の用紙を４つに折る４つ折りを選択し、集約印刷機能において９ページ分の画像データを１枚の用紙に印刷する９−ｕｐを選択したとする。この場合は、紙折り機能により１枚の用紙を４つに折った折り位置で区分けして集約印刷機能により形成した９ページ分の画像データを形成することができず、折り位置と画像データとが重なって形成されてしまうことになる。
【０００８】
このため、紙折り機能と集約印刷機能とを多様に組み合わせた印刷を行う場合に、紙折り機能によって形成される折り位置と集約印刷機能によって形成される画像データとが重なって印刷されるのを低減することが可能な仕組みが必要視されることになる。
【０００９】
なお、本発明よりも先に出願された技術文献として、例えば、特許文献１（特開2005-78289号公報）には、Ｚ折りを考慮し、用紙の指定領域内において集約印刷を行う技術について開示されている。
【００１０】
上記特許文献１には、Ｚ折りによって用紙に形成される折り位置上に集約印刷によって形成される画像データが重ならないようにする技術について開示されている。
【発明の概要】
【発明が解決しようとする課題】
【００１１】
しかし、特許文献１には、Ｚ折りについてのみ開示されており、２つ折り、３つ折り、４つ折りなどの他の折り方については開示されていない。
【００１２】
このため、特許文献１では、紙折り機能と集約印刷機能とを多様に組み合わせた印刷を行う場合については何ら考慮されていない。
【００１３】
本開示の目的は、折り機能と集約印刷機能とを多様に組み合わせた印刷を行う場合に、折り機能によって形成される折り位置と集約印刷機能によって形成される画像データとが重なって印刷されるのを低減することが可能な印刷制御装置を提供することにある。
【課題を解決するための手段】
【００１４】
本開示の一態様にかかる印刷制御装置は、
１枚の媒体を複数に折る機能である折り機能と、１枚の媒体に複数ページの画像データを印刷する機能である集約印刷機能と、を組み合わせた印刷を行う場合に、前記折り機能によって形成される折り位置と、前記集約印刷機能によって形成される画像データと、が重なって前記媒体に印刷されるか否かを判定する判定手段と、
前記折り位置と前記画像データとが重なって前記媒体に印刷されない場合に、前記折り機能と前記集約印刷機能と組み合わせた印刷を行う印刷手段と、
を有することを特徴とする。
【発明の効果】
【００１５】
本開示の一態様によれば、折り機能と集約印刷機能とを多様に組み合わせた印刷を行う場合に、折り機能によって形成される折り位置と集約印刷機能によって形成される画像データとが重なって印刷されるのを低減することができる。
【図面の簡単な説明】
【００１６】
【図１】本実施形態の情報処理システムのシステム構成例を示す図である。
【図２】紙折り機能と集約印刷機能とを組み合わせた印刷を行う場合に、折り位置と画像データとが重なる場合と重ならない場合との例を示す図である。
【図３】印刷装置200の処理動作例を示す図である。
【図４】紙折り機能の折り種類と集約印刷機能の集約方法とを選択する画面例を示す第１の図である。
【図５】紙折り機能の折り種類と集約印刷機能の集約方法とを選択する画面例を示す第２の図である。
【図６】情報処理装置100の処理動作例を示す図である。
【発明を実施するための形態】
【００１７】
（本開示の一態様にかかる印刷制御装置1の実施形態の概要）
まず、図１を参照しながら、本開示の一態様にかかる印刷制御装置1の概要について説明する。図１は、本開示の一態様にかかる印刷制御装置1の構成例を示す図である。印刷制御装置1は、図１に示す印刷装置200のコントローラ1が機能する。
【００１８】
本開示の一態様にかかる印刷制御装置1は、判定手段12、印刷手段12と、を有して構成する。判定手段12、印刷手段12は、コントローラ1の処理部12が機能する。判定手段12は、折り機能と集約印刷機能とを組み合わせた印刷を行う場合に、その折り機能によって形成される折り位置と、その集約印刷機能によって形成される画像データと、が重なって媒体に印刷されるか否かを判定する判定処理を行う。折り機能は、１枚の媒体を複数に折る機能である。集約印刷機能は、１枚の媒体に複数ページの画像データを印刷する機能である。印刷手段12は、折り位置と画像データとが重なって媒体に印刷されない場合に、折り機能と集約印刷機能と組み合わせた印刷を行う印刷処理を行う。
【００１９】
本開示の一態様にかかる印刷制御装置1は、折り機能と集約印刷機能とを組み合わせた印刷を行う場合に、その折り機能によって形成される折り位置と、その集約印刷機能によって形成される画像データと、が重なって媒体に印刷されるか否かを判定する。そして、折り位置と画像データとが重なって媒体に印刷されない場合に、折り機能と集約印刷機能と組み合わせた印刷を行う。
【００２０】
これにより、折り位置と画像データとが重なって媒体に印刷されない場合に、折り機能と集約印刷機能と組み合わせた印刷を行う。このため、折り機能によって形成される折り位置と集約印刷機能によって形成される画像データとが重なって印刷されるのを低減することができる。以下、添付図面を参照しながら、本開示の一態様にかかる印刷制御装置1の実施形態について詳細に説明する。なお、以下の実施形態では、印刷制御装置1を印刷装置200に搭載した場合について説明する。但し、印刷制御装置1は、印刷装置200側ではなく、印刷装置200に印刷を要求する情報処理装置100側に搭載することも可能である。
【００２１】
＜情報処理システムのシステム構成例＞
まず、図１を参照しながら、本実施形態の情報処理システムのシステム構成例について説明する。図１は、本実施形態の情報処理システムのシステム構成例を示す図である。
【００２２】
本実施形態の情報処理システムは、情報処理装置100と、印刷装置200と、を有して構成する。本実施形態の情報処理システムは、情報処理装置100と印刷装置200との間で各種情報の送受信を行うことが可能であれば、あらゆる通信形態が可能である。例えば、TCP/IPやWSD、Bluetooth（登録商標）などのネットワークを経由して接続したり、USBなどのローカルで接続したりすることが可能である。また、図１では、情報処理装置100と印刷装置200とが１対１で接続した構成例を示している。しかし、情報処理装置100と画像形成装置200とが多対多で接続することも可能である。
【００２３】
情報処理装置100は、情報処理装置100で作成した印刷ジョブを印刷装置200に送信する。
【００２４】
印刷装置200は、情報処理装置100から送信された印刷ジョブを印刷する。
【００２５】
本実施形態の印刷装置200は、コントローラ1と、エンジン部2と、を有して構成する。
【００２６】
コントローラ1は、印刷装置200を制御する部分であり、情報処理装置100から受信した印刷ジョブの印刷データを印刷可能なデータに変換する。また、コントローラ1は、印刷データをエンジン部2で印刷するように制御する。エンジン部2は、印刷データの印刷を行う。
【００２７】
コントローラ1は、ネットワークI/F11、処理部12、記憶部13、コンソール14で構成する。
【００２８】
ネットワークI/F11は、印刷ジョブを受信する。処理部12は、印刷ジョブの印刷データを印刷可能なデータに変換する。記憶部13は、印刷データを保存する。また、記憶部13は、図２に示すデータを記憶する。図２に示すデータは、紙折り機能によって１枚の用紙に形成される折り位置と、集約印刷機能によって１枚の用紙に形成される画像データと、が重なって印刷されるか否かを特定する情報を紙折り機能と集約印刷機能との組み合わせに対応付けたデータである。○は、折り位置と画像データとが重ならないことを示している。×は、折り位置と画像データとが重なることを示している。例えば、折り種類が「２つ折り」であり、集約方法が「なし」、「９−ｕｐ」である場合は、折り位置と画像データとが重なることを示している。また、折り種類が「２つ折り」であり、集約方法が「２−ｕｐ」、「４−ｕｐ」、「１６−ｕｐ」である場合は、折り位置と画像データとが重ならないことを示している。
【００２９】
処理部12は、印刷ジョブの印刷データを印刷する際に、記憶部13に記憶されている図２に示すデータを参照し、印刷ジョブにより指定された紙折り機能と集約印刷機能との組み合わせに対応付けられた情報を特定する。そして、その情報に基づいて、印刷ジョブにより指定された紙折り機能によって１枚の用紙に形成される折り位置と、印刷ジョブにより指定された集約印刷機能によって１枚の用紙に形成される画像データと、が重なるか否かを判定する。コンソール14は、印刷装置200の各種設定や印刷ジョブの各種設定を表示したり入力したりする。
【００３０】
エンジン部2は、プリンタエンジン21、エンジンパネル22で構成する。
【００３１】
プリンタエンジン21は、コントローラ1から受け付けた印刷データを印刷する。エンジンパネル22は、プリンタエンジン21のステータスを表示する。
【００３２】
本実施形態の情報処理システムは、ユーザが情報処理装置100を操作し、情報処理装置100で作成した印刷ジョブを印刷装置200に送信する。印刷装置200は、ネットワークI/F11が印刷ジョブを受信し、処理部12に送る。
【００３３】
処理部12は、印刷ジョブに紙折り機能と集約印刷機能とが指定されている場合に、記憶部13に記憶されている図２に示すデータを参照する。そして、印刷ジョブにより指定された紙折り機能によって１枚の用紙に形成される折り位置と、印刷ジョブにより指定された集約印刷機能によって１枚の用紙に形成される画像データと、が重なるか否かを判定する。処理部12は、折り位置と画像データとが重なる場合は、折り位置と画像データとが重なる旨の警告をエンジンパネル21に表示する。この場合、ユーザはコンソール14を操作し、印刷ジョブの集約印刷機能の集約方法や紙折り機能の折り種類の設定変更を行う。また、ユーザは、情報処理装置100のWebブラウザでコンソール14を遠隔操作し、印刷ジョブの集約印刷機能の集約方法や紙折り機能の折り種類の設定変更を行う。
【００３４】
処理部12は、折り位置と画像データとが重ならない場合は、印刷ジョブの印刷データにRIP（Raster Image Processor）処理を行い、印刷ジョブの印刷データを印刷可能な印刷データに変換する。処理部12は、RIP処理済みの印刷データをプリンタエンジン21に送信し、RIP処理済みの印刷データの印刷を行うようにプリンタエンジン21を制御する。
【００３５】
＜印刷装置200の処理動作例＞
次に、図３を参照しながら、本実施形態の印刷装置200の処理動作例について説明する。
【００３６】
まず、処理部12は、印刷ジョブを受け付ける（ステップS1）。
【００３７】
次に、処理部12は、受け付けた印刷ジョブに紙折り機能と集約印刷機能とが指定されている場合に、記憶部13に記憶されている図２に示すデータを参照する。そして、印刷ジョブにより指定された紙折り機能と集約印刷機能との組み合わせに対応付けられた情報を特定する。そして、その情報を基に、印刷ジョブにより指定された紙折り機能によって１枚の用紙に形成される折り位置と、印刷ジョブにより指定された集約印刷機能によって１枚の用紙に形成される画像データと、が重なるか否かを判定する（ステップS2）。
【００３８】
処理部12は、折り位置と画像データとが重ならない場合は（ステップS2/No）、印刷ジョブの印刷データのRIP処理を行い、印刷データを印刷可能な印刷データに変換する（ステップS8）。処理部12は、RIP処理済みの印刷データを記憶部13に記憶する。
【００３９】
次に、処理部12は、RIP処理済みの印刷データをプリンタエンジン21に送信し、RIP処理済みの印刷データの印刷を行うようにプリンタエンジン21を制御する（ステップS9）。これにより、処理部12は、紙折り機能と集約印刷機能とを組み合わせた印刷を行うことになる。
【００４０】
また、処理部12は、ステップS2の判定において、折り位置と画像データとが重なる場合は（ステップS2/Yes）、折り位置と画像データとが重なる旨の警告をエンジンパネル22に表示して通知する（ステップS3）。なお、折り位置と画像データとが重なる旨の警告を情報処理装置100のWebブラウザに表示して通知するようにしても良い。
【００４１】
ユーザは、折り位置と画像データとが重なる旨の警告を受け付けた場合は、コンソール14を操作し、印刷ジョブの集約方法や折り種類の設定変更を行う。また、ユーザは、情報処理装置100のWebブラウザでコンソール14を遠隔操作し、印刷ジョブの集約方法や折り種類の設定変更を行う。
【００４２】
処理部12は、折り位置と画像データとが重なる旨の警告を通知した後は、集約方法、折り種類の設定変更があるか否かを判定する（ステップS4）。設定変更がある場合は（ステップS4/Yes）、設定変更後の紙折り機能によって１枚の用紙に形成される折り位置と、設定変更後の集約印刷機能によって１枚の用紙に形成される画像データと、が重なるか否かを判定する（ステップS5）。
【００４３】
折り位置と画像データとが重なる場合は（ステップS5/Yes）、折り位置と画像データとが重なったまま印刷を行うか否かの確認をコンソール14上に表示して通知する（ステップS6）。例えば、『折り位置と画像データとが重なりますが、このまま印刷しますか？』とコンソール14上に表示する。なお、折り位置と画像データとが重なったまま印刷を行うか否かの確認を情報処理装置100のWebブラウザに表示して通知するようにしても良い。
【００４４】
ユーザは、折り位置と画像データとが重なったまま印刷を行うか否かの確認を受け付けた場合に、折り位置と画像データとが重なったまま印刷を行う場合は、コンソール14を操作し、折り位置と画像データとが重なったまま印刷を行う操作を行う。また、ユーザは、情報処理装置100のWebブラウザでコンソール14を遠隔操作し、折り位置と画像データとが重なったまま印刷を行う操作を行う。
【００４５】
また、ユーザは、折り位置と画像データとが重なったまま印刷を行わない場合は、コンソール14を操作し、印刷ジョブの集約方法や折り種類の設定変更を行う。また、ユーザは、情報処理装置100のWebブラウザでコンソール14を遠隔操作し、印刷ジョブの集約方法や折り種類の設定変更を行う。
【００４６】
処理部12は、折り位置と画像データとが重なったまま印刷を行う操作がコンソール14から行われた場合は（ステップS7/Yes）、印刷ジョブの印刷データのRIP処理を行い、印刷データを印刷可能な印刷データに変換する（ステップS8）。処理部12は、RIP処理済みの印刷データを記憶部13に記憶する。
【００４７】
次に、処理部12は、RIP処理済みの印刷データをプリンタエンジン21に送信し、RIP処理済みの印刷データの印刷を行うようにプリンタエンジン21を制御する（ステップS9）。これにより、処理部12は、紙折り機能と集約印刷機能とを組み合わせた印刷を行うことになる。
【００４８】
また、処理部12は、折り位置と画像データとが重なったまま印刷を行う操作がコンソール14から行われない場合は（ステップS7/No）、ステップS4に移行し、集約方法、折り種類の設定変更があるか否かを判定することになる（ステップS4）。
【００４９】
＜折り種類を優先とした折り種類または集約方法を設定する例＞
次に、図４を参照しながら、折り種類を優先とした折り種類または集約方法を設定する例について説明する。この設定は、図３のステップS3で折り位置と画像データとが重なる旨の警告をユーザに通知した後に、ユーザがコンソール14を操作して行う場合の例である。なお、ユーザが情報処理装置100のWebブラウザでコンソール14を遠隔操作して行うことも可能である。
【００５０】
ユーザは、最初に、折り種類3bと集約方法3cとのどちらを優先するかを優先3aの項目で設定する。図４では、折り種類3bを優先している。このため、処理部12は、ユーザが選択した折り種類3bによって１枚の用紙に形成される折り位置に対して、ユーザが選択した集約方法3cによって１枚の用紙に形成される画像データが重なるか否かを判定する。
【００５１】
図４では、折り種類3bを優先しているので、処理部12は、折り種類3bが『４つ折り』によって形成される折り位置に対して画像データが重なる集約方法3cの選択肢を排他するように制御する。図４では、折り種類3bが『４つ折り』によって形成される折り位置に対して画像データが重なる集約方法3cの選択肢をなるべく選択させないように表示している。例えば、折り種類3bが『４つ折り』によって形成される折り位置に対して画像データが重なる集約方法3cの選択肢と、折り種類3bが『４つ折り』によって形成される折り位置に対して画像データが重ならない集約方法3cの選択肢と、を異ならせて表示する。
【００５２】
なお、折り種類3bを変更した場合は、変更後の折り種類3bによって形成される折り位置に対して画像データが重なる集約方法3cの選択肢も変わるので、排他制御する集約方法3cの選択肢も変更後の折り種類3bにあわせて変更することになる。
【００５３】
なお、設定変更後の折り種類3bによって１枚の用紙に形成される折り位置と、設定変更後の集約方法3cによって１枚の用紙に形成される画像データと、が重なる場合は、図４の3fに示す『折り位置と画像データとが重なります』といったメッセージをコンソール14に表示する。
【００５４】
また、折り種類3bが『４つ折り』によって形成される折り位置に対して画像データが重なる集約方法3cの『４−ｕｐ』などをユーザが選択する。そして、設定完了3eのボタンを操作した場合は、処理部12は、折り位置と画像データとが重なったまま印刷を行うか否かの確認をコンソール14上に表示して通知する。例えば、『折り位置と画像データとが重なりますが、このまま印刷しますか？』とコンソール14上に表示する。なお、折り位置と画像データとが重なったまま印刷を行うか否かの確認を情報処理装置100のWebブラウザに表示して通知するようにしても良い。
【００５５】
また、選択肢を変更した後に、元に戻したい場合などのために、リセット3dの項目を設けるとよい。
【００５６】
＜集約方法を優先とした折り種類または集約方法を設定する例＞
次に、図５を参照しながら、集約方法を優先とした折り種類または集約方法を設定する例について説明する。この設定は、図３のステップS3で折り位置と画像データとが重なる旨の警告をユーザに通知した後に、ユーザがコンソール14を操作して行う場合の例である。なお、ユーザが情報処理装置100のWebブラウザでコンソール14を遠隔操作して行うことも可能である。
【００５７】
ユーザは、最初に、折り種類4bと集約方法4cとのどちらを優先するかを優先4aの項目で設定する。図５では、集約方法4cを優先している。このため、処理部12は、ユーザが選択した集約方法4cによって１枚の用紙に形成される画像データに対して、ユーザが選択した折り種類4bによって１枚の用紙に形成される折り位置が重なるか否かを判定する。
【００５８】
図５では、集約方法4cを優先しているので、処理部12は、集約方法4cが『９−ｕｐ』によって形成される画像データに対して折り位置が重なる折り種類4bの選択肢を排他するように制御する。図５では、集約方法4cが『９−ｕｐ』によって形成される画像データに対して折り位置が重なる折り種類4bの選択肢をなるべく選択させないように表示している。例えば、集約方法4cが『９−ｕｐ』によって形成される画像データに対して折り位置が重なる折り種類4bの選択肢と、集約方法4cが『９−ｕｐ』によって形成される画像データに対して折り位置が重ならない折り種類4bの選択肢と、を異ならせて表示する。
【００５９】
なお、集約方法4cを変更した場合は、変更後の集約方法4cによって形成される画像データに対して折り位置が重なる折り種類4bの選択肢も変わるので、排他制御する折り種類4bの選択肢も変更後の集約方法4cにあわせて変更することになる。
【００６０】
なお、設定変更後の折り種類4bによって１枚の用紙に形成される折り位置と、設定変更後の集約方法4cによって１枚の用紙に形成される画像データと、が重なる場合は、図５の4fに示す『折り位置と画像データとが重なります』といったメッセージをコンソール14に表示する。
【００６１】
また、集約方法4cが『９−ｕｐ』によって形成される画像データに対して折り位置が重なる折り種類4bの『２つ折り』などをユーザが選択する。そして、設定完了4eのボタンを操作した場合は、処理部12は、折り位置と画像データとが重なったまま印刷を行うか否かの確認をコンソール14上に表示して通知する。例えば、『折り位置と画像データとが重なりますが、このまま印刷しますか？』とコンソール14上に表示する。なお、折り位置と画像データとが重なったまま印刷を行うか否かの確認を情報処理装置100のWebブラウザに表示して通知するようにしても良い。
【００６２】
また、選択肢を変更した後に、元に戻したい場合などのために、リセット4dの項目を設けるとよい。
【００６３】
＜本実施形態の印刷装置200の作用・効果＞
このように、本実施形態の印刷装置200は、情報処理装置100から受け付けた印刷ジョブに紙折り機能と集約印刷機能とが指定されている場合に、記憶部13に記憶されている図２に示すデータを参照する。そして、印刷ジョブにより指定された紙折り機能によって１枚の用紙に形成される折り位置と、印刷ジョブにより指定された集約印刷機能によって１枚の用紙に形成される画像データと、が重なるか否かを判定する（ステップS2）。印刷装置200は、折り位置と画像データとが重ならない場合は（ステップS2/No）、印刷ジョブの印刷データのRIP処理を行い（ステップS8）、RIP処理済みの印刷データの印刷を行う（ステップS9）。これにより、紙折り機能と集約印刷機能とを多様に組み合わせた印刷を行う場合に、紙折り機能によって形成される折り位置と集約印刷機能によって形成される画像データとが重なって印刷されるのを低減することができる。
【００６４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６５】
例えば、上述した実施形態では、印刷装置200側が情報処理装置100から印刷ジョブを受け付けた場合に、図３に示す一連の処理動作を行うことにした。しかし、情報処理装置100が印刷ジョブを印刷装置200に送信する場合に、図６に示すような一連の処理動作例を行うことも可能である。この場合は、図６のステップA2の判定を行う前に図２に示すデータを情報処理装置100側に記憶しておくことになる。
【００６６】
図６は、情報処理装置100が印刷ジョブの送信要求を受け付けた場合に、例えば、情報処理装置100のプリンタドライバが行う（ステップA1）。まず、情報処理装置100は、印刷ジョブに紙折り機能と集約印刷機能とが指定されている場合に、図２に示すデータを参照する。そして、印刷ジョブにより指定された紙折り機能と集約印刷機能との組み合わせに対応付けられた情報を特定する。そして、その情報を基に、印刷ジョブにより指定された紙折り機能によって１枚の用紙に形成される折り位置と、印刷ジョブにより指定された集約印刷機能によって１枚の用紙に形成される画像データと、が重なるか否かを判定する（ステップA2）。
【００６７】
情報処理装置100は、折り位置と画像データとが重ならない場合は（ステップA2/No）、印刷ジョブを印刷装置200に送信する（ステップA8）。これにより、印刷装置200側で紙折り機能と集約印刷機能とを組み合わせた印刷を行うことになる。
【００６８】
また、ステップA2の判定において、折り位置と画像データとが重なる場合は（ステップA2/Yes）、折り位置と画像データとが重なる旨の警告を情報処理装置100のWebブラウザに表示して通知する（ステップA3）。
【００６９】
ユーザは、折り位置と画像データとが重なる旨の警告を受け付けた場合は、情報処理装置100を操作し、印刷ジョブの集約方法や折り種類の設定変更を行う。
【００７０】
情報処理装置100は、折り位置と画像データとが重なる旨の警告を通知した後は、集約方法、折り種類の設定変更があるか否かを判定する（ステップA4）。設定変更がある場合は（ステップA4/Yes）、設定変更後の紙折り機能によって１枚の用紙に形成される折り位置と、設定変更後の集約印刷機能によって１枚の用紙に形成される画像データと、が重なるか否かを判定する（ステップA5）。
【００７１】
折り位置と画像データとが重なる場合は（ステップA5/Yes）、折り位置と画像データとが重なったまま印刷を行うか否かの確認を情報処理装置100のWebブラウザに表示して通知する（ステップA6）。例えば、『折り位置と画像データとが重なりますが、このまま印刷しますか？』と情報処理装置100のWebブラウザに表示して通知する。
【００７２】
ユーザは、折り位置と画像データとが重なったまま印刷を行うか否かの確認を受け付けた場合に、情報処理装置100を操作し、折り位置と画像データとが重なったまま印刷を行う操作を行う。
【００７３】
また、ユーザは、折り位置と画像データとが重なったまま印刷を行わない場合は、情報処理装置100を操作し、印刷ジョブの集約方法や折り種類の設定変更を行う。
【００７４】
情報処理装置100は、折り位置と画像データとが重なったまま印刷を行う操作が行われた場合は（ステップA7/Yes）、印刷ジョブを印刷装置200に送信する（ステップA8）。これにより、印刷装置200側で紙折り機能と集約印刷機能とを組み合わせた印刷を行うことになる。
【００７５】
また、情報処理装置100は、折り位置と画像データとが重なったまま印刷を行う操作が行われない場合は（ステップA7/No）、ステップA4に移行し、集約方法、折り種類の設定変更があるか否かを判定することになる（ステップA4）。
【００７６】
このように、情報処理装置100が印刷ジョブを印刷装置200に送信する場合に、図６に示すような一連の処理動作例を行う。これにより、紙折り機能と集約印刷機能とを多様に組み合わせた印刷を行う場合に、紙折り機能によって形成される折り位置と集約印刷機能によって形成される画像データとが重なって印刷されるのを低減することができる。
【００７７】
また、上記実施形態の情報処理システムを構成する各装置における制御動作は、ハードウェア、ソフトウェア、あるいは、両者の複合構成を用いて実行することも可能である。
【００７８】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００７９】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００８０】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００８１】
また、上記実施形態の情報処理システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００８２】
１００    情報処理装置
２００    印刷装置
１    コントローラ
１１    ネットワークＩ／Ｆ
１２    処理部
１３    記憶部
１４    コンソール
２    エンジン部
２１    プリンタエンジン
２２    エンジンパネル
【先行技術文献】
【特許文献】
【００８３】
【特許文献１】特開２００５−７８２８９号公報
【図１】
2014162053.tif 000003
【図２】
2014162053.tif 000004
【図３】
2014162053.tif 000005
【図４】
2014162053.tif 000006
【図５】
2014162053.tif 000007
【図６】
2014162053.tif 000008